(57)【要約】【課題】中間周波同調回路をデジタルテレビジョン信号とアナログテレビジョン信号との双方の復調に適する特性とする。【解決手段】入力されたデジタルテレビジョン信号又はアナログテレビジョン信号を中間周波数帯に周波数変換する混合器４と、同調周波数が中間周波数帯内で切り換えられるように構成されると共に混合器４の次段に設けられた中間周波同調回路７とを備え、混合器４にデジタルテレビジョン信号が入力されたときには中間周波同調回路７を中間周波数帯のほぼ中心となる第一の周波数Ｆｃに同調し、アナログテレビジョン信号が入力されたときには第一の周波数Ｆｃよりも高い第二の周波数Ｆｐに同調した。【選択図】　　　　図１
2004048121.tif 000002
【特許請求の範囲】
【請求項１】
入力されたデジタルテレビジョン信号又はアナログテレビジョン信号を中間周波数帯に周波数変換する混合器と、同調周波数が前記中間周波数帯内で切り換えられるように構成されると共に前記混合器の次段に設けられた中間周波同調回路とを備え、前記混合器に前記デジタルテレビジョン信号が入力されたときには前記中間周波同調回路を前記中間周波数帯のほぼ中心となる第一の周波数に同調し、前記アナログテレビジョン信号が入力されたときには前記第一の周波数よりも高い第二の周波数に同調したことを特徴とするテレビジョンチューナ。
【請求項２】
前記混合器に前記デジタルテレビジョン信号が入力されたときには前記中間周波同調回路のＱを低くし、前記アナログテレビジョン信号が入力されたときには前記Ｑを高くすると共に前記同調周波数を前記中間周波数帯におけるほぼ映像中間周波数に同調したことを特徴とする請求項１に記載のテレビジョンチューナ。
【請求項３】
前記中間周波同調回路は前記映像中間周波数にほぼ同調する並列同調回路と、スイッチダイオードと容量素子とからなる直列回路と、前記容量素子に並列接続された抵抗とを有し、前記直列回路を前記並列同調回路に並列に接続し、前記混合器に前記デジタルテレビジョン信号が入力されたときには前記スイッチダイオードをオンとし、前記アナログテレビジョン信号が入力されたときには前記スイッチダイオードをオフとしたことを特徴とする請求項２に記載のテレビジョンチューナ。
【請求項４】
前記中間周波同調回路の後段に設けられた切替手段と、前記切替手段の後段に並設されたデジタル用中間周波回路及びアナログ用中間周波回路を有し、前記切替手段によって前記中間周波数帯に周波数変換された前記デジタルテレビジョン信号を前記デジタル用中間周波回路に入力し、前記中間周波数帯に周波数変換された前記アナログテレビジョン信号を前記アナログ用中間周波回路に入力したことを特徴とする請求項３に記載のテレビジョンチューナ。
【請求項５】
前記スイッチダイオードと前記切替手段とに前記混合器に入力されるテレビジョン信号が前記デジタルテレビジョン信号であるか又は前記アナログテレビジョン信号であるかを区別するための切替信号を印加したことを特徴とする請求項４に記載のテレビジョンチューナ。
【発明の詳細な説明】
【０００１】
【発明の属する技術分野】
この発明はデジタルテレビジョン信号又はアナログテレビジョン信号を選択的に受信可能としたテレビジョンチューナに関する。
【０００２】
【従来の技術】
従来のテレビジョンチューナの構成を図４に示す。入力同調回路３１にはデジタルテレビジョン信号及びアナログテレビジョン信号が入力される。デジタルテレビジョン信号は従来からのアナログテレビジョン信号が配列されたチャンネル以外のいわゆる空きチャンネルに配列されている。入力同調回路３１によって大まかに選択されたいずれかのテレビジョン信号は高周波増幅器３２によって増幅された後に段間同調回路３３に入力される。段間同調回路３３の同調周波数と入力同調回路３１の同調周波数とは連動する。ここでは隣接のチャンネルのテレビジョン信号が更に除去され、選択されたテレビジョン信号が混合器３４に入力される。
【０００３】
混合器３４には発振器３５から局部発振信号が供給される。発振器３５の発振周波数と、入力同調回路３１及び段間同調回路３３の同調周波数とを制御するＰＬＬ回路３６にはチャンネル選択のためのデータが入力される。よって、混合器３４にはデジタルテレビジョン信号又はアナログテレビジョン信号のいずれかが入力される。なお、ＰＬＬ回路３６内には特定チャンネル、例えばデジタルテレビジョン信号のチャンネルをアナログテレビジョン信号のチャンネルと区別するための切替信号を出力するスイッチ回路が組み込まれている。
【０００４】
混合器３４では入力されたテレビジョン信号が中間周波数帯（米国仕様では４１ＭＨｚ〜４７ＭＨｚ）に周波数変換される。よって、変換された信号（中間周波信号）にはデジタルテレビジョン信号によるものとアナログテレビジョン信号によるものとがある。中間周波信号は中間周波同調回路３７を経て中間周波増幅器３８に入力される。中間周波同調回路３７は並列同調回路で構成され、その同調周波数は中間周波数帯の中心よりも高く、ほぼ映像中間周波数（米国仕様では４５．７５ＭＨｚ）近辺となっている。
【０００５】
中間周波増幅回路３８の出力側には切替手段３９と二つの中間周波回路４０、４１とが設けられる。一方のデジタル用中間周波回路４０はデジタルテレビジョン信号を処理し、他方のアナログ用中間周波回路４１はアナログテレビジョン信号を処理する。そして、切替手段３９はＰＬＬ回路３６から出力される切替信号によって中間周波増幅器３８をデジタル用中間周波回路４０又はアナログ用中間周波回路４１に接続する。
【０００６】
よって、混合器３４にデジタルテレビジョン信号が入力されると、その中間周波信号はデジタル用中間周波回路に入力され、アナログテレビジョン信号が入力されると、その中間周波信号はアナログ用中間周波回路４１に入力される。
【０００７】
【発明が解決しようとする課題】
上記構成では、中間周波同調回路は映像中間周波数近辺に同調している。従って、アナログテレビジョン信号の受信に対しては都合が良い。なぜなら、アナログテレビジョン信号を映像検波する際には映像中間周波信号よりも音声中間周波信号のレベルを下げる必要があるからである。しかし、デジタルテレビジョン信号には映像中間周波信号や音声中間周波信号がなく、帯域内の多数の搬送波に映像信号と音声信号とを重畳しているので、中間周波数帯のレベル偏差が少ないことが望ましい。よって、上記のような映像中間周波数にピークを有する特性では帯域内でのレベル偏差が大きくなってデジタルテレビジョン信号を正しく復調することができなかった。
【０００８】
逆の場合、すなわち中間周波同調回路を中間周波数帯でのレベル偏差が少なくなるようにほぼ中心周波数に同調すると、デジタルテレビジョン信号の復調には都合が良いが、アナログテレビジョン信号の復調には映像中間周波数と音声中間周波数とがほぼ同じレベルとなるので都合が悪い。
【０００９】
本発明では中間周波同調回路をデジタルテレビジョン信号とアナログテレビジョン信号との双方の復調に適する特性とすることを目的とする。
【００１０】
【課題を解決するための手段】
上記課題に対し、本発明のテレビジョンチューナでは、入力されたデジタルテレビジョン信号又はアナログテレビジョン信号を中間周波数帯に周波数変換する混合器と、同調周波数が前記中間周波数帯内で切り換えられるように構成されると共に前記混合器の次段に設けられた中間周波同調回路とを備え、前記混合器に前記デジタルテレビジョン信号が入力されたときには前記中間周波同調回路を前記中間周波数帯のほぼ中心となる第一の周波数に同調し、前記アナログテレビジョン信号が入力されたときには前記第一の周波数よりも高い第二の周波数に同調した。
【００１１】
また、前記混合器に前記デジタルテレビジョン信号が入力されたときには前記中間周波同調回路のＱを低くし、前記アナログテレビジョン信号が入力されたときには前記Ｑを高くすると共に前記同調周波数を前記中間周波数帯におけるほぼ映像中間周波数に同調した。
【００１２】
また、前記中間周波同調回路は前記映像中間周波数にほぼ同調する並列同調回路と、スイッチダイオードと容量素子とからなる直列回路と、前記容量素子に並列接続された抵抗とを有し、前記直列回路を前記並列同調回路に並列に接続し、前記混合器に前記デジタルテレビジョン信号が入力されたときには前記スイッチダイオードをオンとし、前記アナログテレビジョン信号が入力されたときには前記スイッチダイオードをオフとした。
【００１３】
また、前記中間周波同調回路の後段に設けられた切替手段と、前記切替手段の後段に並設されたデジタル用中間周波回路及びアナログ用中間周波回路を有し、前記切替手段によって前記中間周波数帯に周波数変換された前記デジタルテレビジョン信号を前記デジタル用中間周波回路に入力し、前記中間周波数帯に周波数変換された前記アナログテレビジョン信号を前記アナログ用中間周波回路に入力した。
【００１４】
また、前記スイッチダイオードと前記切替手段とに前記混合器に入力されるテレビジョン信号が前記デジタルテレビジョン信号であるか又は前記アナログテレビジョン信号であるかを区別するための切替信号を印加した。
【００１５】
【発明の実施の形態】
本発明のテレビジョンチューナを図１乃至図３によって説明する。図１は回路構成を示し、図２は中間周波同調回路の具体構成を示し、図３は中間周波同調回路の同調特性を示す。
【００１６】
図１において、入力同調回路１にはデジタルテレビジョン信号及びアナログテレビジョン信号（ｒｆで示す）が入力される。デジタルテレビジョン信号は従来からのアナログテレビジョン信号が配列されたチャンネル以外のいわゆる空きチャンネルに配列されている。入力同調回路１によって大まかに選択されたいずれかのテレビジョン信号は高周波増幅器２によって増幅された後に段間同調回路３に入力される。段間同調回路３の同調周波数と入力同調回路１の同調周波数とは連動する。ここでは隣接のチャンネルのテレビジョン信号が更に除去され、選択されたテレビジョン信号が混合器４に入力される。
【００１７】
混合器４には発振器５から局部発振信号が供給される。発振器５の発振周波数と、入力同調回路１及び段間同調回路３の同調周波数とを制御電圧Ｖｔによって制御するＰＬＬ回路６にはチャンネル選択のためのデータＤａが入力される。よって、混合器４にはデジタルテレビジョン信号又はアナログテレビジョン信号のいずれかが入力される。なお、ＰＬＬ回路６内には特定チャンネル、例えばデジタルテレビジョン信号のチャンネルをアナログテレビジョン信号のチャンネルと区別するための切替信号Ｓを出力するスイッチ回路が付加されている。例えば、混合器４にデジタルテレビジョン信号が入力されるときはハイレベルとなり、アナログテレビジョン信号が入力されるときはローレベルとなる。
【００１８】
混合器４では入力されたテレビジョン信号が中間周波数帯ＩＦ（米国仕様では４１ＭＨｚ〜４７ＭＨｚ）に周波数変換される。よって、変換された信号（ｉｆで示す中間周波信号）にはデジタルテレビジョン信号によるものとアナログテレビジョン信号によるものとがある。中間周波信号は中間周波同調回路７を経て中間周波増幅器８に入力される。なお、混合器４と中間周波同調回路７と中間周波増幅器８とは平衡回路で構成される。
【００１９】
中間周波同調回路７はＰＬＬ回路６から出力される切替信号によってその同調周波数が中間周波数帯ＩＦ内で切り換えられるように構成されている。即ち、混合器４にデジタルテレビジョン信号が入力されるときは、中間周波数帯のほぼ中心（米国仕様では４４ＭＨｚ）である第一の周波数ｆｃに同調し、アナログテレビジョン信号が入力されるときはそれよりも高い第二の周波数（例えばほぼ映像中間周波数ｆｐ（米国仕様では４５．７５ＭＨｚ））に同調する。
【００２０】
図２は中間周波同調回路７の具体構成を示す。容量素子Ｃ１とインダクタンス素子Ｌとで構成される並列同調回路７ａは上記の第二の周波数に同調している。この並列同調回路７ａにはスイッチダイオードＤと容量素子Ｃ２とからなる直列回路７ｂが並列に接続され、容量素子Ｃ２には抵抗Ｒが並列接続される。スイッチダイオードＤのカソードは抵抗によって接地され、アノードにはＰＬＬ回路６から切替信号が入力される。よって、混合器４にデジタルテレビジョン信号が入力されたときは切替信号がハイレベルとなるのでスイッチダイオードＤがオンとなり、容量素子Ｃ１とＣ２とが合算される。このときの中間周波同調回路７の同調周波数が前述した第一の周波数（４４ＭＨｚ）となるように容量素子Ｃ２の容量値を決めておく。また、第一の周波数に同調したときは抵抗Ｒが接続されるのでＱが低下し、中間周波数帯内でのレベル偏差が一層少なくなる。よって、このときの中間周波同調回路７の同調特性は図３のＡのようになる。
【００２１】
一方、混合器４にアナログテレビジョン信号が入力されたときは切替信号がローレベルとなるのでスイッチダイオードＤがオフとなり、容量素子Ｃ２と抵抗Ｒとが並列同調回路７ａから切り放される。よって中間周波同調回路７の同調周波数は前述した第２の周波数（４５．７５ＭＨｚ）となり、Ｑも大きくなる。よって、このときの中間周波同調回路７の同調特性は図３のＢのようになり、映像中間周波数ｆｐに対して音声中間周波数ｆｓが４乃至５ｄＢ低下する。
【００２２】
中間周波増幅回路８の出力側には切替手段９と二つの中間周波回路１０、１１とが設けられる。一方のデジタル用中間周波回路１０はデジタルテレビジョン信号を処理し、他方のアナログ用中間周波回路１１はアナログテレビジョン信号を処理する。そして、切替手段９はＰＬＬ回路６から出力される切替信号によって中間周波増幅器８をデジタル用中間周波回路１０又はアナログ用中間周波回路１１に接続する。
【００２３】
よって、混合器４にデジタルテレビジョン信号が入力されると、その中間周波信号はデジタル用中間周波回路１０に入力され、アナログテレビジョン信号が入力されると、その中間周波信号はアナログ用中間周波回路１１に入力される。
【００２４】
【発明の効果】
本発明のテレビジョンチューナでは、入力されたテレビジョン信号を中間周波数帯に周波数変換する混合器と、同調周波数が中間周波数帯内で切り換えられるように構成されると共に混合器の次段に設けられた中間周波同調回路とを備え、混合器にデジタルテレビジョン信号が入力されたときには中間周波同調回路を中間周波数帯のほぼ中心となる第一の周波数に同調し、アナログテレビジョン信号が入力されたときには第一の周波数よりも高い第二の周波数に同調したので、中間周波数帯域はほぼフラットな特性と、音声中間周波よりも映像中間周波数がレベル高となる特性に切り換えられる。よって、中間周波数帯域の特性はデジタルテレビジョン信号の受信とアナログテレビジョン信号の受信とに適するように二通りに切り換えることができる。
【００２５】
また、混合器にデジタルテレビジョン信号が入力されたときには中間周波同調回路のＱを低くし、アナログテレビジョン信号が入力されたときにはＱを高くすると共に同調周波数を中間周波数帯におけるほぼ映像中間周波数に同調したので、デジタルテレビジョン信号の受信に対しては中間周波数帯域は一層フラットとなり、アナログテレビジョン信号の受信時は音声中間周波数を映像中間周波数よりも確実に下げられる。
【００２６】
また、中間周波同調回路は映像中間周波数にほぼ同調する並列同調回路と、スイッチダイオードと容量素子とからなる直列回路と、容量素子に並列接続された抵抗とを有し、直列回路を並列同調回路に並列に接続し、混合器にデジタルテレビジョン信号が入力されたときにはスイッチダイオードをオンとし、アナログテレビジョン信号が入力されたときにはスイッチダイオードをオフとしたので、中間周波数帯域のＱと同調周波数とを確実に切り換えられる。
【００２７】
また、中間周波同調回路の後段に設けられた切替手段と、切替手段の後段に並設されたデジタル用中間周波回路及びアナログ用中間周波回路を有し、切替手段によって中間周波数帯に周波数変換されたデジタルテレビジョン信号をデジタル用中間周波回路に入力し、中間周波数帯に周波数変換されたアナログテレビジョン信号をアナログ用中間周波回路に入力したので、デジタルテレビジョン信号とアナログテレビジョン信号とをそれぞれの中間周波回路に入力できる。
【００２８】
また、スイッチダイオードと切替手段とに混合器に入力されるテレビジョン信号がデジタルテレビジョン信号であるか又はアナログテレビジョン信号であるかを区別するための切替信号を印加したので、受信するテレビジョン信号の種別と中間周波回路とを連動して選択できる。
【図面の簡単な説明】
【図１】本発明のテレビジョンチューナの構成を示す回路図である。
【図２】本発明のテレビジョンチューナに使用する中間周波同調回路の回路図である。
【図３】本発明のテレビジョンチューナにおける中間周波同調回路の同調特性図である。
【図４】従来のテレビジョンチューナの構成を示す回路図である。
【符号の説明】
１　入力同調回路
２　高周波増幅器
３　段間同調回路
４　混合器
５　発振器
６　ＰＬＬ回路
７　中間周波同調回路
７ａ　並列同調回路
Ｃ１　容量素子
Ｌ　インダクタンス素子
７ｂ　直列回路
Ｃ２　容量素子
Ｄ　スイッチダイオード
Ｒ　抵抗
８　中間周波増幅器
９　切替手段
１０　デジタル用中間周波回路
１１　アナログ用中間周波回路
【図１】
2004048121.tif 000003
【図２】
2004048121.tif 000004
【図３】
2004048121.tif 000005
【図４】
2004048121.tif 000006